(57)【要約】【課題】天井面から吊り下げられ、空気調和機および、または表示装置等の機器を一台もしくは背中合わせで二台いっしょに据付できるようにした据付装置を提供する。【解決手段】天井面３から回転可能に吊り下げられた吊下部材４と、同吊下部材４の下端が接続された水平状の吊下面２と、同吊下面２の両側端から垂下された一対の垂直状の据付面１とからなり、前記据付面１間に、同据付面１の少なくとも一方に据え付けられた空気調和機本体および、または表示装置等の機器に連なる配管および、またはコード等が収容されるようにした。【選択図】  図１
2004340494.tif 000002
【特許請求の範囲】
【請求項１】
天井面から吊り下げられた吊下部材と、同吊下部材の下端が接続された水平状の吊下面と、同吊下面の両側端から垂下された一対の垂直状の据付面とからなり、
前記据付面間に、同据付面の少なくとも一方に据え付けられた空気調和機および、または表示装置等の機器に連なる配管および、またはコード等が収容されるようにしてなることを特徴とする据付装置。
【請求項２】
前記据付面に、機器の背面に取り付けられた据付板が固定されるようにしてなることを特徴とする請求項１に記載の据付装置。
【請求項３】
前記据付面に、機器の背面に設けられた係止部に対応する係止爪を設け、同係止爪を同係止部に係止して機器が据え付けられるようにしてなることを特徴とする請求項１に記載の据付装置。
【請求項４】
前記据付面に、機器に連なる配管および、またはコード等を挿通する下端もしくは側端を開放したＵ字状の挿通孔を設けてなることを特徴とする請求項１に記載の据付装置。
【請求項５】
前記吊下部材が吊下パイプからなり、同吊下パイプを通して電源用のコードが導入されると共に、同コードに接続された電源用のコンセントが前記据付面の挿通孔近傍に取り付けられてなることを特徴とする請求項１または請求項４に記載の据付装置。
【請求項６】
前記据付面の下部および両側部に、同据付面間の隙間をカバーするコ字状のカバーパネルが着脱可能に装着されるようにしてなることを特徴とする請求項１または請求項４に記載の機器の据付装置。
【発明の詳細な説明】
【０００１】
【発明の属する技術分野】
本発明は、据付装置に係わり、より詳細には、天井面から吊り下げられ、空気調和機および、または表示装置等の機器を一台もしくは背中合わせで二台いっしょに据付できるようにした構造に関する。
【０００２】
【従来の技術】
従来の据付装置には、例えば空気調和機の据付具及び据付構造として、空気調和機を据え付ける際の据付強度と施工性とを改善するため、空気調和機の上面と背面に沿う略Ｌ字形の据付具を部屋の壁面または天井に固定してから、空気調和機を据付具に係合させ、さらに必要な場合はボルト等を用いて、空気調和機を据付具に固定するように構成されてなるものがあった（例えば、特許文献１参照。）。
【０００３】
上記構成により、例えば空気調和機が奥行きの長いタイプであっても、取り付け強度を強固にすることができる効果を奏していた。
【０００４】
または、空気調和機の据付装置として、空気調和機の室内ユニットを据付板を介して壁にスムースにしっかり固定できるようにするため、据付板を介して壁面等に取り付けられる空気調和機の室内ユニットにおいて、前記室内ユニットの背面下部に設けられ、当該室内ユニットの冷媒・ドレン配管等（以下配管という）を収納する配管収納部と、この配管収納部の壁面に設けられ、前記据付板を着脱可能に固定する固定部と、前記据付板の前記配管収納部と対応する位置に設けられ、前記配管を束ねて前記据付板へ固定する束ね固定手段と、を備えたものがあった（例えば、特許文献２参照。）。
【０００５】
上記構成により、例えば前記配管の一部が飛び出しても据付板にしっかり、コンパクトに前記配管を固定して室内ユニットの配管収納部にスムースに無理なく収納するようになるため、配管施工性にすぐれた信頼性の高い機器（空気調和機）の据付装置を得ることができた。
【０００６】
しかしながら、上記構成でなる機器（空気調和機）の据付装置は、何れの場合も、一台の室内ユニットを据え付けるための据付装置により壁面や天井面に沿って据え付ける構成であることから、例えば天井面から吊り下げられた据付装置により、一台もしくは背中合わせで二台いっしょに据付できるように構成することが望まれていた。
【０００７】
【特許文献１】
特開２０００−１６１７６６号公報（第１頁〜第３頁、第８図）
【特許文献２】
特開２００１−１９４００２号公報（第１頁〜第４頁、第１図）
【０００８】
【発明が解決しようとする課題】
本発明においては、上記の問題点に鑑み、天井面から吊り下げられ、空気調和機および、または表示装置等の機器を一台もしくは背中合わせで二台いっしょに据付できるようにした据付装置を提供することを目的とする。
【０００９】
【課題を解決するための手段】
本発明は、上記課題を解決するため、天井面から吊り下げられた吊下部材と、同吊下部材の下端が接続された水平状の吊下面と、同吊下面の両側端から垂下された一対の垂直状の据付面とからなり、
前記据付面間に、同据付面の少なくとも一方に据え付けられた空気調和機および、または表示装置等の機器に連なる配管および、またはコード等が収容されるようにしてなる構成となっている。
【００１０】
また、前記据付面に、機器の背面に取り付けられた据付板が固定されるようにしてなる構成となっている。
【００１１】
また、前記据付面に、機器の背面に設けられた係止部に対応する係止爪を設け、同係止爪を同係止部に係止して機器が据え付けられるようにしてなる構成となっている。
【００１２】
また、前記据付面に、機器に連なる配管および、またはコード等を挿通する下端もしくは側端を開放したＵ字状の挿通孔を設けてなる構成となっている。
【００１３】
また、前記吊下部材が吊下パイプからなり、同吊下パイプを通して電源用のコードが導入されると共に、同コードに接続された電源用のコンセントが前記据付面の挿通孔近傍に取り付けられてなる構成となっている。
【００１４】
更に、前記据付面の下部および両側部に、同据付面間の隙間をカバーするコ字状のカバーパネルが着脱可能に装着されるようにしてなる構成となっている。
【００１５】
【発明の実施の形態】
以下、本発明の実施の形態を図面に基づいた実施例として詳細に説明する。なお、以下に説明する実施例においては、本発明による据付装置を空気調和機用の据付装置として説明することとし、表示装置用の据付装置としての説明は内容が重複するので割愛する。
図１は本発明による空気調和機用の据付装置の説明図で、（Ａ）は係止爪を切り起こす前の状態を示す斜視図、（Ｂ）は係止爪を切り起こした状態を示す斜視図であり、図２は本発明による空気調和機用の据付装置の説明図で、（Ａ）は正面図、（Ｂ）は上方から見た矢視図、（Ｃ）は下方から見た矢視図、（Ｄ）は側面図であり、図３は据付装置の据付面に据付板を取り付ける状態を示す分解斜視図であり、図４は据付装置の両側部および下部の隙間をカバーするカバーパネルの説明図で、（Ａ）は正面図、（Ｂ）は上方から見た矢視図、（Ｃ）は側面図であり、図５は本発明による空気調和機用の据付装置の説明図で、（Ａ）は斜視図、（Ｂ）は断面図であり、図６は本発明による空気調和機用の据付装置の説明図で、（Ａ）は斜視図、（Ｂ）は側面図である。
【００１６】
本発明による据付装置は、空気調和機用の据付装置５として図で示すように、天井面３から吊り下げられた吊下部材４と、同吊下部材４の下端が接続された水平状の吊下面２と、同吊下面２の両側端から垂下された一対の垂直状の据付面１とからなる構成になっている。
【００１７】
前記一対の据付面１間には、同据付面１に据え付けられた空気調和機本体８に連なる配管６やコード１２等が収容されるようにした構成になっている。
【００１８】
前記一対の据付面１は、互いに平行状態であって垂直状に形成されていることから、例えば一方の据付面１に前記空気調和機本体８を一台据え付けることができるようになっており、または、両方の据付面１に二台いっしょに背中合わせにして据え付けることもできるようになっている。
【００１９】
これにより、壁掛け用として構成された前記空気調和機本体８を壁面にのみ据え付けるという既成概念にとらわれるのではなく、被空気調和室の広さ、形状または間取りなどの状況に応じて、天井面から被空気調和室の所定位置に吊り下げられた前記据付装置５によって一台を、もしくは二台を背中合わせで吊下げ設置できるようになる。
【００２０】
その際、前記据付面１の両側上部に係止爪ｂを設けることにより、同係止爪ｂに前記本体８背面の両側上部に設けられた係止部（図示せず）に係止して前記空気調和機本体８が据え付けられるようになっている。
【００２１】
なお、前記据付装置５の係止爪ｂは、図１（Ａ）および図１（Ｂ）と、図２（Ａ）および図２（Ｂ）とで示すように、前記据付面１および前記吊下面２に形成された切り込みａによって切り起し可能な切起片からなり、前記空気調和機本体８の据付時に、同本体８背面に設けられた係止部（図示せず）に対応して切り起されるように構成されている。
【００２２】
これによって、例えば前記据付装置５に前記空気調和機本体８を従来使用していた据付板１１を介して据え付ける際、図３で示すように前記切起片を切り起すことなく、前記据付板１１を取付部１０によって前記据付面１に取り付けることができるようになる。
【００２３】
一方、前記据付板１１を用いることなく前記据付装置５に前記空気調和機本体８を据え付ける場合には、図１（Ｂ）で示すように、前記切起片を切り起すことによって前記据付装置５の係止爪ｂを形成すればよい。
【００２４】
その際、前記据付面１の下部両側に形成された切り込みａ’によって切り起し可能な切起片を切り起すことにより、前記空気調和機本体８の背面下部に設けられた配管収容部に係合する係合片ｂ’を形成するようにしてもよい。
【００２５】
なお、本発明による前記据付装置５は、前記吊下部材４の下端が接続された前記吊下面２と、前記一対の据付面１とでコ字状に形成された構成であることから、例えば互いの大きさを度外視したなら、図示はしないが人を非常口に誘導するための誘導灯を構成する枠体のように、吊下パイプの下端が接続された上面部と、両側面部と、底面部とからなるものよりも簡便に形成できる構成になっている。
【００２６】
すなわち、コ字状に形成された三面を有する前記据付装置５は、少なくとも同様の大きさで形成された四面を有する枠体に比べてシンプルな構成となり、例えば板金製よって製作する場合であっても、または合成樹脂製により成形する場合であっても構造が簡単なため廉価に製作できるようになる。
【００２７】
また、前記一対の据付面１は、前記空気調和機本体８の背面よりも小さい外形形状で形成してもよいので、前記据付装置５としての小型化を容易に行なえるようになっている。
【００２８】
次に、前記天井面３から吊り下げられた吊下パイプからなり、下端が前記吊下面２に接続された前記吊下部材４について説明する。
【００２９】
前記吊下部材４は、吊下パイプからなる構成にして軽量化をはかり、図１（Ａ）と、図２（Ａ）乃至図２（Ｄ）とで示すように、前記天井面３から矢印Ａのように回転可能に吊り下げられて下端が前記吊下面２の中央部に接続され、前記空気調和機本体８を回転可能に据え付けることができるようになっている。
【００３０】
この場合、前記据付面１に配管を挿通させるための挿通孔ｃを設けることにより、図６（Ａ）および図６（Ｂ）で示すように、前記空気調和機本体８から導出され前記挿通孔ｃを通して前記一対の据付面１間に収容した配管６を、前記吊下パイプを通して天井裏から屋外に導くことができるようになるので、据付時の配管処理が容易になって外観性を損ねてしまうということがない。
【００３１】
なお、挿通孔ｃは、前記据付面の下端もしくは側端を開放してＵ字状に形成されることにより、その開放端から前記配管６を容易に挿入できるようになっているので作業性がよい。
【００３２】
また、前記吊下部材４の上端部は、図５（Ｂ）で示すように、天井面３の上部に設けられている梁１７からボルト１６によって吊り下げられることにより、充分な強度を有した状態で前記本体８を回転可能に据え付けることができるようになっている。
【００３３】
また、図１（Ｂ）の二点鎖線で示すように、前記吊下部材４’を前記吊下面２の両側部に複数立設して天井面３から吊り下げることにより、前記据付装置５に更に充分な強度をもたせた状態で前記空気調和機本体８を据え付けることができるようにしてもよい。
【００３４】
この構成は、前記据付装置５が、前記据付面１を回転させる必要がない状態で強固に据え付ける場合に好適な構造となる。
【００３５】
なお、前記取付部１０は、前記据付板１１に設けられた取付孔１１ａ  と前記据付面１に設けられたねじ孔１０ａ  とで構成することにより、前記取付孔１１ａ  を通したねじを前記ねじ孔１０ａ  に螺着して、前記据付面１に前記据付板１１を取り付けるようになっており、同据付板１１の両側上部に設けられた係止爪１１ｂ  に前記空気調和機本体８背面の係止部（図示せず）を係止して同本体８が据え付けられるようになっている。
【００３６】
または、前記取付部１０は、前記据付面１に設けられた係止孔１０ｂ  およびねじ孔１０ａ  と、これらに対応して前記据付板１１に設けられた係止爪１１ｃ  および取付孔１１ａ  とで構成され、前記係止孔１０ｂ  に前記係止爪１１ｃ  を係止すると共に、前記取付孔１１ａ  を通したねじを前記ねじ孔１０ａ  に螺着して前記据付板１１を取り付けるようにしてもよい。
【００３７】
前記係止孔１０ｂ  に前記係止爪１１ｃ  を係止したのち、前記取付孔１１ａ  を通したねじを前記ねじ孔１０ａ  に螺着して前記据付板１１を取り付ける場合には、係止構造を設けたことによってねじ締めする箇所を減らすことができるようになり、取付作業を簡略化して作業性を向上できることになる。
【００３８】
また、図６（Ｂ）で示すように、前記吊下パイプを通して電源用のコード１２が導入されると共に、同コード１２に接続された電源用のコンセント１３が前記挿通孔ｃ近傍の前記据付面１の背面に取り付けられることにより、前記空気調和機本体８から導出され前記挿通孔ｃを通した図示しない電源コードのプラグを、前記コンセント１３に容易に接続できるようになるので便利である。
【００３９】
また、前記据付装置５には、前記据付面１の両側部および下部の隙間をカバーするコ字状のカバーパネル１４が着脱可能に装着されるようになっているので、前記隙間を目隠しできるようになって意匠性を損ねてしまうことがない。
【００４０】
なお、前記カバーパネル１４は、前記据付面１の下部の隙間をカバーする底面１４ａ  と、両側部の隙間をカバーする両側面１４ｂ  と、同両側面１４ｂ  の上端に設けられた前記吊下面２の両端に係脱可能に係止される係止部１４ｃ  を備え、前記空気調和機本体８の前面パネル１５と同様の素材および色彩からなる構成となっているので、前記本体８と一体感をもたせることができて意匠性を損ねることがない。
【００４１】
【発明の効果】
以上説明したように、天井面から吊り下げられ、空気調和機および、または表示装置等の機器を一台もしくは背中合わせで二台いっしょに据付できるようにした据付装置となる。
【図面の簡単な説明】
【図１】本発明による空気調和機用の据付装置の説明図で、（Ａ）は係止爪を切り起こす前の状態を示す斜視図であり、（Ｂ）は係止爪を切り起こした状態を示す斜視図である。
【図２】本発明による空気調和機用の据付装置の説明図で、（Ａ）は正面図であり、（Ｂ）は上方から見た矢視図であり、（Ｃ）は下方から見た矢視図、（Ｄ）は側面図である。
【図３】据付装置の据付面に据付板を取り付ける状態を示す分解斜視図である。
【図４】据付装置の両側部および下部の隙間をカバーするカバーパネルの説明図で、（Ａ）は正面図であり、（Ｂ）は上方から見た矢視図であり、（Ｃ）は側面図である。
【図５】本発明による空気調和機用の据付装置の説明図で、（Ａ）は斜視図であり、（Ｂ）は断面図である。
【図６】本発明による空気調和機用の据付装置の説明図で、（Ａ）は斜視図であり、（Ｂ）は側面図である。
【符号の説明】
１  据付面
２  吊下面
３  天井面
４  吊下部材（吊下パイプ）
５  据付装置
６  配管
８  空気調和機本体
９  係止爪
１０  取付部
１０ａ  ねじ孔
１０ｂ  係止孔
１１  据付板
１１ａ  取付孔
１１ｂ  係止爪
１１ｃ  係止爪
１２  コード
１３  コンセント
１４  カバーパネル
１４ａ  底面
１４ｂ  両側面
１４ｃ  係止部
１５  前面パネル
１６  ボルト
１７  梁
ａ，ａ’  切り込み
ｂ  係止爪
ｂ’  係合片
ｃ  挿通孔
【図１】
2004340494.tif 000003
【図２】
2004340494.tif 000004
【図３】
2004340494.tif 000005
【図４】
2004340494.tif 000006
【図５】
2004340494.tif 000007
【図６】
2004340494.tif 000008